(57)【要約】【課題】  吊り掛けられた支持体、特に一アーム状支持体の横安定性をさらに改良させる商品展示装置を提供すること。【解決手段】  商品展示装置はそれぞれの上辺（１５０）と下辺（１５１）を備える高さ（ａ）のスリット（１５）の格子を有する縦支柱（１）を基礎とする。スリット（１５）には支持体（５、６）のブラケット（５０、６０）が吊り掛けられて、物品を直接に吊り掛けるように或いは二次支持体（８０、８１、８２）を保持するように形成されている。スリット（１５）の格子は二つの互いに平行な垂直線に鏡対称に配置されていて、スリット（１５）の格子の各線が内脚（１２）により限定されている。第一形態では、支持体（５）がブラケット（５０）を備えていて、そのブラケットが挿入された状態では同時に同じ縦支柱（１）の両線にスリット（１５）を占める。第二形態では、支持体（６）が二つのブラケット（６０）を備えていて、それらブラケットが挿入された状態では二つの隣接した縦支柱（１）のスリット（１５）のそれぞれ一線のみを占める。縦支柱（１）にスリット（１５）の各線を限定するために、それぞれに一つの個別の内脚（１２）があり、そして両内脚（１２）が基板（１０）により後側に限定されている。スリット格子の各線にはブラケット（５０、６０）を差し込むように設けられた隙間（１７）が定義された隙間幅（ｇ）を備えて案内される。
2010500891.tif 000002
【特許請求の範囲】
【請求項１】
それぞれの上辺（１５０）と下辺（１５１）を備える高さ（ａ）のスリット（１５）の格子を有し、スリット（１５）には支持体（５、６）のブラケット（５０、６０）が吊り掛けられて、物品を直接に吊り掛けるように或いは二次支持体（８０、８１、８２）を保持するように形成されている縦支柱（１）を備える商品展示装置において、
ａ）縦支柱（１）におけるスリット（１５）の格子が二つの互いに平行な垂直線に鏡対称に配置されていて、スリット（１５）の格子の各線が内脚（１２）により限定されており；
ｂ）支持体（５）がブラケット（５０）を備えていて、そのブラケットが挿入された状態では同時に同じ縦支柱（１）の両線にスリット（１５）を占めるか、或いは
ｃ）支持体（６）が二つのブラケット（６０）を備えていて、それらブラケットが挿入された状態では二つの隣接した縦支柱（１）のスリット（１５）のそれぞれ一線のみを占めることを特徴とする装置。
【請求項２】
ａ）縦支柱（１）にスリット（１５）の各線を限定するために、それぞれに一つの個別の内脚（１２）があり；そして、
ｂ）両内脚（１２）が基板（１０）により後側に限定されている中空空間（１８）を包囲することを特徴とする請求項１に記載の装置。
【請求項３】
ａ）スリット（１５）の格子の各線には、ブラケット（５０、６０）を挿入するために設けられた隙間（１７）が定義された隙間幅（ｇ）により案内し、その隙間が内脚（１２）と外脚（１６）により限定されていて；そして、
ｂ）支持体（５）のブラケット（５０）が挿入された状態では同時に同じ縦支柱（１）の両隙間（１７）を占めるか；或いは  
ｃ）支持体（６）の二つのブラケット（６０）が挿入された状態では二つの隣接した縦支柱（１）のそれぞれに一つの隙間（１７）のみを占めることを特徴とする請求項１或いは２に記載の装置。
【請求項４】
ａ）両内脚（１２）からそれぞれに外方に向く横脚（１３）が特に直角に突出して延びていて；そして、
ｂ）それぞれの外脚（１６）が付属する横脚（１３）に特に直角に繋がっていることを特徴とする請求項１乃至３のいずれか一項に記載の装置。
【請求項５】
ａ）基板（１０）には、支持構造体（２）と連結する貫通孔（１１）があり；
ｂ）内脚（１２）の前自由端が係止形状（１２０）を有して、それに分解可能に補完的逆形状（１９２）を有する蓋形材（１９）を取り付けて；
ｃ）横脚（１３）の自由外端とそれぞれに隣接した外脚（１６）とにより形成された隅部が板要素（４）の横辺（４３）を収容するように形成されていて；
ｄ）基板（１０）と横脚（１３）の間に位置する内脚（１２）の持分に応じた長さが特に横脚（１３）から内脚（１２）の前自由端へ位置する持分に応じた長さとおよそ同じ大きさであり；そして、
ｅ）縦支柱（１）が特にアルミニュム連続圧延形状として形成されていることを特徴とする請求項１乃至４のいずれか一項に記載の装置。
【請求項６】
支持体（５）のブラケット（５０）は：
ａ）原則的にはＵ字状であり、吊り掛ける状態では横脚（１３）から内脚（１２）の前自由端まで位置する持分に応じた長さに形成されている内部自由空間（５２７）を有し；  ｂ）それぞれに縦支柱（１）のスリット（１５）の両線の上第一スリット（１５）の上辺に係合するように形成されている二つの上方に向いた上第一突起（５４）を有し；
ｃ）縦支柱（１）のスリット（１５）の両線の下スリット（１５）に係合させるように形成されている二つの下第二突起（５５）を有し；
ｄ）突起（５４、５５）がブラケット（５０）の二つの横脚（５２）の平面にはそれぞれ前辺（５３）を越えて延びていることを特徴とする請求項１乃至５のいずれか一項に記載の装置。
【請求項７】
ａ）支持体（５）のブラケット（５０）における第一突起（５４）が縦支柱（１）のスリット（１５）の高さ（ａ）より大きい第一突起高さ（ｒ）を有し；
ｂ）第二突起（５５）がスリット（１５）の高さ（ａ）より小さい第二突起高さ（ｔ）を有し、各下第二突起（５５）がそれぞれ前辺（５３）の最下部分から第二突起（５５）に延びている切り口（５５０）を有し、その下部分がそれぞれに縦支柱（１）のスリット（１５）の両線の下第二スリット（１５）の下辺（１５１）に係合するように形成されていて；
ｃ）ブラケット（５０）の二つの横脚（５２）が基板（５１）に繋がっており、その基板は支持体（５）の吊り掛けられた状態で原則的には垂直に二つの横脚（５２）の前に立っていて；そして
ｄ）基板（５１）には支持体（５）のロッド部材（５６）或いは接続要素（５８）が設置されることを特徴とする請求項６に記載の装置。
【請求項８】
支持体（５）のブラケット（５０）は：
ａ）原則的にはＵ字状であり、吊り掛ける状態では横脚（１３）から内脚（１２）の前自由端まで位置する持分に応じた長さに形成されている内部自由空間（５２７）を有し；  ｂ）それぞれに縦支柱（１）のスリット（１５）の両線の上第一スリット（１５）の上辺（１５０）に係合するように形成されている二つの下方に向いた上第一突起（６４）を有し；
ｃ）縦支柱（１）のスリット（１５）の両線の下スリット（１５）に係合させるように形成されている二つの下方に向いた下第二突起（６５）を有し；
ｄ）突起（６４、６５）がブラケット（５０）の二つの横脚（６２）の平面にはそれぞれ前辺（６３）を越えて延びていることを特徴とする請求項１乃至５のいずれか一項に記載の装置。
【請求項９】
ａ）第一と第二突起（６４、６５）がスリット（１５）の高さ（ａ）より小さいそれぞれに一つの突起高さを有し；
ｂ）ブラケット（５０）の二つの内脚（１２）が基板（５１）に繋がっており、その基板は支持体（５）の吊り掛けられた状態で原則的には垂直に二つの横脚（６２）の前に立っていて；そして
ｃ）基板（５１）には支持体（５）のロッド部材（５６）或いは接続要素（５８）が設置されることを特徴とする請求項８に記載の装置。
【請求項１０】
支持体（５）のブラケット（５０）は：
ａ）吊り掛けた状態でスリット（１５）の両線の一方に隣接している縦支柱（１）の内脚（１２）に静止する横脚（６２）を有し；
ｂ）縦支柱（１）のスリット（１５）の両線の一方に上第一スリット（１５）の上辺（１５０）を広げるように形成されている下方に向いた上第一突起（６４）を有し；
ｃ）縦支柱（１）のスリット（１５）の同一線に下第二スリット（１５）の上辺（１５０）を広げるように形成されている下第二突起（６５）を有し；そして
ｄ）突起（６４、６５）がブラケット（６０）の一方の横脚（６２）の平面にてそれぞれの前辺（６３）を越えて延びていることを特徴とする請求項１乃至５のいずれかの一項に記載の装置。
【請求項１１】
ａ）第一と第二突起（６４、６５）がそれぞれにスリット（１５）の高さ（ａ）より小さい突起高さを有し；そして
ｂ）支持体（６）における各横脚（６２）はそれぞれにロッド部材（６６）の第二端（６６１）に移行し、両ロッド部材（６６）がそれぞれの第一端（６６０）にて横腕（６７）によって互いに連結されていることを特徴とする請求項１０に記載の装置。
【請求項１２】
支持体（６）のブラケット（６０）は：
ａ）吊り掛けた状態でスリット（１５）の両線の一方に隣接している縦支柱（１）の内脚（１２）に静止する横脚（６２）を有し；
ｂ）縦支柱（１）のスリット（１５）の両線の一方の上第一スリット（１５）の上辺（１５０）に係合するように形成されている上方に向いた上第一突起（５４）を有し；
ｃ）縦支柱（１）のスリット（１５）の同一線の下第二スリット（１５）に係合させるように形成されている下第二突起（６５）を有し；そして
ｄ）突起（６４、６５）がブラケット（６０）の一方の横脚（６２）の平面にてそれぞれの前辺（６３）を越えて延びていることを特徴とする請求項１乃至５のいずれかの一項に記載の装置。
【請求項１３】
ａ）支持体（６）のブラケット（６０）における上第一突起（６４）が縦支柱（１）のスリット（１５）の高さ（ａ）より大きい第一突起高さ（ｒ）を有し；
ｂ）第二突起（６５）がスリット（１５）の高さ（ａ）より小さい第二突起高さ（ｔ）を有し、各下第二突起（５５）が前辺（６３）の最下部分から第二突起（６５）まで延びている切り口（６５０）を有し、その下部分がそれぞれに縦支柱（１）の下第二スリット（１５）の下辺（１５１）に係合するように形成されていて；
ｃ）支持体（６）における二つの横脚（６２）がそれぞれにロッド部材（６６）の第二端（６６１）に移行し、それぞれの第一端（６６０）における両ロッド部材（６６）が横腕（６７）によって互いに連結されていることを特徴とする請求項１２に記載の装置。
【請求項１４】
ａ）縦支柱（１）を固定する支持構造体（２）が支持梁（２）を包含し；
ｂ）縦支柱（１）の基板（１０）における支持梁（２）が縦支柱（１）の中空空間（１８）から或いは支持梁（２）から取り付けられたボルト（９９）により固定されていて；  ｃ）支持構造体（２）が、例えば四辺中空形材、Ｐ−形材或いはＴ−形材であり；そして
ｄ）それぞれに縦支柱の下に組立られた支持梁（２）を備えるそれぞれの縦支柱（１）から成る隣接した組合せの間に支持梁（２）には横方杖（３）が特に列状配列で固定されていることを特徴とする請求項１乃至１３のいずれかの一項に記載の装置。
【請求項１５】
板要素（４）は：
ａ）板後面（４１）上に固定されて且つ横方杖（３）上に吊るされる第三保持要素(９４）によって固定されていて；及び／又は
ｂ）横脚（１３）の後面から板後面（４１）へ係合されるボルトによって固定されていて；及び／又は
ｃ）板横辺（４３）の領域にて板前面（４０）に載置されて縦支柱（１）のスリット（１５）に保持される第一或いは第二保持要素（９２、９３）によって固定されていることを特徴とする請求項１乃至１４のいずれかの一項に記載の装置。
【請求項１６】
ａ）中間形材（７）が設けられ、板要素（４）用土台として用いられ、板要素が縦支柱（１）の横脚（１３）と外部脚（１６）の前自由端の間の間隔より実質的に少ない厚さを有し；
ｂ）横脚（１３）の外部自由端とそれぞれの付属する外部脚（１６）により形成された隅に挿入する中間形材（７）が形成されていて；
ｃ）中間形材（７）が横脚（１３）の外部自由端を包囲するのに用いられる枝（７４、７５）を有し；そして
ｄ）中間形材（７）が弾性材料、特にゴム或いは合成樹脂から成ることを特徴とする請求項１乃至１５のいずれかの一項に記載の装置。
【請求項１７】
ａ）縦支柱（１）と縦支柱に吊り掛け得る支持体（５、６）が以下ａａーａｃ）のために使用され：
ａａ）静止壁架台の組立；
ａｂ）片側或いは両側縦支柱（１）が配置されていて、それにより一つの或いは二つの側面の架台には支持体（５、６）が吊り掛けられ、縦支柱（１）の両側配列では、好ましくは、それぞれの一つの支持梁（２）が基板（１０）により互いに立つ二つの縦支柱（１）に設けられている可動架台の組立；
ａｃ）建造物により形成された支持構造体（２）における取付け；そして
ｂ）二次支持体（８０、８１、８２）が一つの或いは複数の支持体（５、６）により支持された棚板（８１）、ロッド（８０、８２）或いは容器であることを特徴とする請求項１乃至１６のいずれかの一項に記載の装置。
【発明の詳細な説明】
【技術分野】
【０００１】
この発明は、支持構造体、特に架台に、支持体が吊り掛けられるスリット格子を有する取り付けられる縦支柱を備える商品展示装置に関する。支持体には、物品が直接に吊り掛けられるか、或いは支持体がロッド部材上に棚板或いは横ロッドのような二次支持体を支持する。或いは支持体が二次支持体を保持する接続要素と連結されている。
【背景技術】
【０００２】
ドイツ実用新案第２０１００１８１号明細書（特許文献１）、ドイツ実用新案第２０２００４００２７０１号明細書（特許文献２）とドイツ実用新案第２０２００５００２７３９号明細書（特許文献３）から、展示架台を構成するスリット格子を備える成型された縦支柱が知られている。これらの発明によると、横安定性の問題は吊り掛けた一アーム状支持体により確実に増加してより良く解決されるけれども、今までは完全に構成されたとは見做されない。吊り掛けすべき支持体に存在するブラケットの材料強度との関係の形状においてスリット格子或いはスリット格子に案内する隙間の強過ぎる狭めの際に、確かに遊びが減少され、それにより吊り掛けられた支持体の横安定性が改良されるけれども、他方では、挿入する締付けによって吊掛け取外しが阻止される。
【０００３】
欧州特許出願公開第０９５８７５９号明細書（特許文献４）には、アダプターに吊り掛けできる商品支持体の横安定性を支持体に横に取り付けられた支持薄板により向上させることが提案されていて、この支持薄板が吊り掛けられた状態でアダプターを受ける壁面の前側に支持される。
【特許文献１】ドイツ実用新案第２０１００１８１号明細書
【特許文献２】ドイツ実用新案第２０２００４００２７０１号明細書
【特許文献３】ドイツ実用新案第２０２００５００２７３９号明細書
【特許文献４】欧州特許出願公開第０９５８７５９号明細書
【発明の開示】
【発明が解決しようとする課題】
【０００４】
従来の解決策に残っている不完全性を考慮して、この発明の課題は、吊り掛けられた支持体、特に一アーム状支持体の横安定性をさらに改良させるこの種の商品展示装置を提供することである。しかし、この場合には、行動が支持体の吊掛け取外しの際に縦支柱から狭い締付けにより複雑化されない、即ち出来る限り有効な軽量性を得るべきである。
【０００５】
別の課題は、複数の縦支柱を備える構成には、いわば中断されていない列に支持体の装備を実現させる、即ち同じ縦支柱にて同じ高さにブラケットが隣接した支持体から吊り掛けできなければならないことである。                                              
【課題を解決するための手段】
【０００６】
商品展示装置は、それぞれに上辺と下辺を備える統一的に形成された高さのスリットの格子を有する縦支柱に基づいている。スリットには、支持体のブラケットが吊り掛けされ、物品を直接に吊り掛けるように或いは二次支持体を保持するように形成されている。スリット格子が二つの互いに平行な垂直線に鏡対称に配置されていて、スリット格子の各線が内脚により限定されている。第一型態では、支持体がブラケットを備えていて、そのブラケットが同時に両線の同じ縦支柱のスリットを占める。第二型態では、支持体が二つのブラケットを有し、これらのブラケットは差し込れた状態でそれぞれに二つの隣接した縦支柱のスリットの一線のみを占める。
【０００７】
次に、この発明の特殊実施態様が定義されていて：各線のスリットを限定するために、縦支柱にはそれぞれに一つの内脚が存在し、両内脚が後側に基板により限定される中空空間を包囲する。スリット格子の各線には、ブラケットを挿入するように備えてた隙間が内脚と外脚により限定される定義された幅を備えるように案内する。第一型態による支持体のブラケットが差し込れた状態で同時に同じ縦支柱の両隙間を占める。これに対して第二型態の支持体の二つのブラケットが差し込れた状態で二つの隣接した縦支柱のそれぞれに一つの隙間のみを占める。
【０００８】
両内脚からそれぞれに外方に向く横脚が延びていて、特に直角に突出している。それぞれの外脚が付属する横脚に特に直角に繋がっている。内脚の前自由端は、係止形状を有し、係止形状に分解可能に補充的逆形状を有する蓋形材を取り付ける。横脚の自由外端とそれぞれに隣接した外脚により形成された隅が板要素の横脚を収容するように形成されている。基板と横脚の間に位置する内脚の持分に応じた長さは横脚から内脚の前自由端までに位置する持分に応じた長さとおよそ同じ大きさである。縦支柱アルミニュム連続圧延形材として製造されている。
［支持体の第一型態］
【０００９】
支持体のブラケットは原則的にはＵ字状であり、吊り掛けられた状態で横脚から内脚の前自由端まで位置する持分に応じた長さに形成されている内部自由空間を有する。ブラケットの二つの上方に向いた上第一突起がそれぞれに縦支柱のスリットの両線の上第一スリットの上辺に係合させるように形成されている。ブラケットの二つの下第二突起が縦支柱のスリットの両線の下スリットに係合させるように形成されている。突起がブラケットの二つの横脚の平面にてそれぞれの前辺を越えて延びている。第一突起は縦支柱のスリットの高さより大きい第一突起高さを有する。第二突起はスリットの高さより小さい第二突起高さを有する。各下第二突起はそれぞれの前辺の最下部分から第二突起へ延びている下部分を有し、それぞれに縦支柱のスリットの両線の下第二スリットの下辺に係合させるように形成されている。ブラケットの二つの横脚が吊り掛けられた支持体の状態で原則的には両内脚の前に垂直に立つ基板に繋がっている。基板には支持体のロッド部材或いは接続部材が設置する。
【００１０】
下修正態様では、突起が第一型態のブラケットに次のように構成され：ブラケットは二つの下方に向いた上第一突起を有し、その上第一突起がそれぞれに縦支柱のスリットの両線の上第一突起の上辺に係合させるように形成されている。さらに、ブラケットは二つの下方に向いた下第二突起を有し、その下第二突起が縦支柱のスリットの両線の下スリットに係合させるように形成されている。第一と第二突起がそれぞれにスリットの高さより小さい突起高さを有する。
［支持体の第二型態］
【００１１】
支持体のブラケットは吊り掛けられた状態で縦支柱の内脚には静止する横脚を有し、内脚がスリットの両線の一方に隣接している。ブラケットは下方に向いた上第一突起を有し、上第一突起が縦支柱のスリットの両線の一方の上第一スリットの上辺に係合させるように形成されている。さらに、ブラケットは下第二突起を有し、下第二突起は縦支柱のスリットの同じ線にて下第二スリットの上辺に係合させるように形成されている。新たに、突起がブラケットの一方の横脚の平面においてそれぞれの前辺を越えて延びている。第一と第二突起がそれぞれにスリットの高さより小さい突起高さを有する。支持体における各横脚がそれぞれにロッド部材の第二端に移行し、両ロッド部材がそれぞれの第一端には横腕によって互いに連結されている。
【００１２】
下修正態様では、突起が第二型態のブラケットに次のように構成され：ブラケットは上方に向いた上第一突起を有し、上第一突起が縦支柱のスリットの両線の一方の上第一スリットの上辺に係合させるように形成されている。ブラケットにおける下第二突起は縦支柱のスリットの同じ線の下第二スリットに係合させるように形成されている。この突起もブラケットの一方の横脚の平面においてそれぞれの前辺を越えて延びている。上第一突起が縦支柱のスリットの高さより大きい第一突起高さを有する。第二突起がスリットの高さより小さい第二突起高さを有する。下第二突起は前辺の最下部分から第二突起に延びている下部分を有し、縦支柱の下第二スリットの下辺を係合させるように形成されている。
【００１３】
縦支柱を固定する支持構造体が支持梁を包含し、この支持梁は縦支柱の基板には縦支柱の中空空間から或いは支持梁から取り付けられたボルトにより固定されている。支持梁が、例えば四辺中空形材、Ｐ−形材或いはＴ−形材である。それぞれに縦支柱の下に組立られた支持梁を備えるそれぞれの縦支柱から成る隣接した組合せの間では、支持梁には横方杖が特に列状配列で固定されている。
【００１４】
板要素は板後面上に固定されて且つ横方杖上に吊るされる第三保持要素によって固定されている。選択的に或いは補充的に、板要素が横脚の後面から板後面へ係合されるボルトによって固定されている。選択的に或いは補充的に、板要素が板横辺の領域にて板前面に載置されて縦支柱のスリットに保持される第一或いは第二保持要素によって固定されている。
【００１５】
中間形材が設けられ、板要素用土台として用いられ、板要素が縦支柱の横脚と外部脚の前自由端の間の間隔より実質的に少ない厚さを有する。中間形材が横脚の外部自由端とそれぞれの付属外部脚により形成された隅に挿入するように形成されている。中間形材が横脚の外部自由端を包囲するのに用いられる枝を有する。特に、中間形材が弾性材料、例えばゴム或いは合成樹脂から成る。
【００１６】
縦支柱と縦支柱に吊り掛け得る支持体が静止壁架台の構成のために典型的に使用される。可動架台もそれにより達成され得て、片側或いは両側縦支柱が配置されていて、それにより一つの或いは二つの側面の架台には支持体が吊り掛けられる。縦支柱の両側配列では、好ましくは、それぞれの一つの支持梁が基板により互いに立つ二つの縦支柱に設けられている。最終的に、縦支柱が建造物により形成された支持構造体における組立てに適している。二次支持体としては、一つの或いは複数の支持体により支持された棚板、ロッド或いは容器を考慮される。    
【発明を実施するための最良の形態】
【００１７】
次に、添付図面を参照して、この発明の装置並びにそれにより得られた商品展示架台の実施例が詳細に記載される。
【００１８】
次の方針が全体の他の記載に適用される。図において図示の明瞭性のために参照符号が包含されるが、直接に付属された明細書テキストでは、説明されていないので、先行或いは次の図の記載の言及に関連されている。見易さの観点では、「繰り返す」構成部材が重要であることが図で明確に認識出来る限り、構成部材の繰り返された記載は別の図では少なくとも放棄される。
［実施例］
［図１Ａ乃至１Ｅ］
【００１９】
図示された静止壁架台は実質的に格子体に間隔を置いて一平面に設置された複数の縦支柱１、それぞれ一つの縦支柱に組立られた支持梁２、前側に設置された板要素４、横／蓋被覆部９５と第一型態の縦支柱１に吊り掛けられた支持体５から成り、その支持体は二次支持体８を−例えば横ロッド８０と棚板８１の構成に受ける。床に設置するために、支持梁２の下端が足９０を備えている。板要素４の前面４０が空間に向く、その間に後面４１がこの空間と反対を向いている。横／蓋被覆部９５が板要素４に類似しているが、展示架台の横側と上側をカバーするように設けられている。前面９５０が外方に向いていて、後面９５１が内方に向いている。
【００２０】
支持体５は縦支柱１に吊り掛けできるブラケット５０と空間に突き出すロッド部材５６から構成され、そのロッド部材が例えば真直に、曲げられるか、或いは段にされ得る。ブラケット５０は原則的には各任意の高さで縦支柱１に吊り掛けられる。異なって構成された支持体５を形成するために、ロッド部材５６の前側に横腕５７が配置されているので、所謂Ｔ−アームが生じる。横腕５７がブラケット５０の近くに配置されているならば、人は二次支持体８として棚板８１を載置する支持体５を与えられる。特に同じ高さで吊り掛けた複数の支持体５には、二次支持体８が横ロッド８０及び棚板８１又はそのいずれか一方の構成で配置されている。棚板８１は展示するべき物品を載置するのに用いられ、その間に横ロッド８０がそのような物品を吊り掛けるために利用できる。複数の高さに異なって構成された支持体５と二次支持体８とを備える展示架台の装備では、複雑な構成が生じる。
【００２１】
架台を安定化するためや縦支柱１間のスペンサー格子を保持するために、支持梁２間に水平横桁３が挿入されていて、例えば下端と上端並びに縦支柱１の中間高さに挿入されている。横被膜部９５に対して横桁３の列状配列において支持部材３６が挿入されていて、その支持部材により第四保持要素９６が横被膜部９５に対して延びている。上では、架台が蓋被膜部９５により覆われている。支持梁２の上端には壁支柱９１が取り付けられ、壁支柱が架台の水平化や背面固定に用いられる。板背面４１には横桁３の経過を補充するように第三保持要素９４が特にアングルとして配置されていて、それにより板要素４が横桁３に吊り掛けられる。
［図２Ａ乃至２Ｄ］
【００２２】
縦支柱１は、横断面にて幾重にも分岐されて下基板１０を備える鏡対称な形材であり、下基板からＵ状に前方に二つの互いに平行な内脚１２が外間隔ｅをもって延びていて、内脚が基板１０と共に中空空間１８を包囲する。内部に基板１０が中心に縦に延びている第一切込み線１００を有する。内脚１２の自由端が雌係止形材１２０を備えている。およそ中心に直角に一個づつの横脚１３が隣接した内脚１２に繋がっている。横脚１３の繋がりの領域には、各内脚１２が中空空間１８に対して開放する溝１２１を有し、内脚１２が溝１２１から係止形材１２０まで中空空間１８により材料厚さを減少されている。外部領域には各横脚１３が両側に縦に延びている第二切込み線１３０を有する。隙間幅の間隔ｇには各内脚１２と平行に外脚１６が延びていて、この外脚が直角に付属横脚１３に繋がっている。これにより対の内外脚１２、１６の間には隙間１７が生じて、内脚１２の自由端がおよそ外脚１６の自由端に比べて短く形成されている。両隙間１７にわたる内径が内間隔ｆにわたり延びている。
【００２３】
第一切込み線１００を形成する基板１０には、第一貫通孔１１の格子が存在し、この第一貫通孔は特に内ねじ１１０を備えている。第二切込み線１３０を形成する各横脚１３には、第二貫通孔１４の格子が存在し、貫通孔１１、１４が特に高さを互いに低くなる。隙間１７の同じ高さの継続部では、各横脚１３には横脚１３を貫通するスリット１５の格子が存在し、スリットは高さａを有し、格子体ｂに配置されている。個々のスリット１５はそれぞれに上辺１５０と下辺１５１により形成されている。縦支柱１は特にアルミニュム連続圧延形状として形成されている。
［図３Ａと３Ｂ］
【００２４】
両内脚１２の間の中空空間１８の前側閉鎖に対して蓋形材１９が用いられ、この蓋形材は中心に位置した基板１９０とそれから直角に突き出す横脚１９１を備えるＵ状横断面を有する。横脚１９１の自由端には、それぞれに一個の互いに向き合うオス的係止形材１９２が存在し、この係止形材はメス的係止形材１２０に係合するように縦支柱１の内脚１２形成されている。蓋形材１９が特に同様にアルミニュム連続圧延形状として或いは十分な剛性を備える合成樹脂形材として形成されている。
［図４Ａ乃至４Ｌ］
【００２５】
第一型態の支持体５は縦支柱１に吊り掛けるように形成されたブラケット５０を有し、このブラケットは標準実施例では直線ロッド部材５６の第二端５６１に配置されていて、その間にその第一端５６０が空間に自由に突き出す。そのような支持体５は物品を吊り掛けるために、例えば上着を前呈示するために適している（図４Ａ乃至４Ｄ参照）。ブラケット５０は原則的にはＵ形材の垂直に立つ部分であり、その基板５１は第二端５６１の前側に設置する。基板から直角に曲げられて、互いに平行な両横脚１２が延びている。横脚１２の実質的に垂直に位置する前辺５３にわたり、それぞれに一つの第一突起５４と一つの第二突起５５が外に突き出し、それら突起はそれぞれの横脚１２の平面に延びている。第一突起５４が付属横脚５２の上端に存在し、この突起を上方へそびえ立てるので、限定すべき前辺５３に対して下辺５４が生じ、横脚５２の限定すべき上端に対して後辺５４１が形成されている。第二突起５５は付属横脚５２の下端の近くに配置されて、前辺５３に限定する上辺５５１並びに第二突起５５に位置する下切口５５０とを有し、その切口には前辺５３が下から繋がっている。
【００２６】
対状の現突起５４、５５を備える両横脚５２はその間に内径ｊを備える自由空間５２７を形成する。内寸法ｊに両横脚５２或いは突起対５４、５５の材料厚を加えると、外寸法ｋが得られる。第一突起５４の下辺５４０から上辺までは第一突起高さｒである。第二突起５５の上辺５５１から切口５５０より深く位置する下辺までは、第二突起高さｔである。第一突起５４の下辺５４０と第二突起５５の上辺５５１の間には間隔ｔがある。間隔ｓ＋ｔ、即ち第一突起５４の下辺５４０から第二突起５５の下辺までは、間隔幅ｕである。間隔ｒ＋ｓ＋ｔ，即ち第一突起５４の上辺から第二突起５５の下辺までは、全高さｖである。
【００２７】
支持体５が棚板８１を載置するように利用されるならば、直線ロッド部材５６に接続要素５８の取り付けは、例えば押圧するアングルの構成で第二ロッド部材５６１に且つ減衰カムをロッド上面に取り付けるのが得策である（図４Ｅ参照）。
【００２８】
人が支持体５を横ロッド８０を受けるように使用するならば、特にロッド端５６０に位置する接続要素５８が上方に開放する窪みの構成を有する（図４Ｆ参照）。
【００２９】
棚板８１を載置する支持体の組合わせ使用と横ロッド８０の同時収容では、接続部材５８がロッド部材５６に押圧するアングルの構成で第二ロッド端５６１に且つ減衰カムをロッド上面に並びに上方開放窪みを第一ロッド端５６０に備えている。より大きい移動自由度を達するために、ロッド部材５６の第一端５６０の領域に段差部５６２を備えて形成することが好ましい（図４Ｇ参照）。
【００３０】
支持体５の別の態様を、第一ロッド端５６０に横腕５７を配置して得られるので、例えば上着の袖呈示に適しているＴアームが生じる（図４Ｈ参照）。
【００３１】
支持体５の予め記載の変態では、横腕５７がブラケット５０の近くに固定されていて、外端には接続部材５８として押圧するアングルを有し、第一ロッド端５６０の上側には、減衰カムと係止カムが接続部材として配置されている。そのような支持体５は、例えばガラス或いは木から成る棚板８１を載置するために適している（図４Ｊ参照）。
【００３２】
支持体５に例えば箱を組立れるならば、ロッド部材５６を放棄されて、その代わりにブラケット５０の基板５１には接続要素５８としてねじ板が取り付けられる（図４Ｋ参照）。
【００３３】
支持体５に横枠８２（図７参照）を備えることが考慮されると、ロッド部材５６の代わりに、接続要素５８としての基盤５１に枠接目板が配置されていて、その枠接目板に横枠８２が分解自在に挿入されている。より長い横枠８２の場合には、少なくとも二つのこの種の支持体５が支持するために使用される（図４Ｌ参照）。
［図４Ａ乃至４Ｏ］
【００３４】
第二型態では、支持体６が吊り掛けフレームとして形成されている。二つの平行に互いに位置する、ロッド部材６６はその第一端６６０には横腕６７により架橋されている。第二端６６１には、各ロッド部材６６がブラケット６０を有し、そのような支持体６の両ブラケット６０が展示架台の二つの縦支柱１に吊り掛けるように形成されている。ロッド部材６６からブラケット６０までの直接移行部として、それぞれに一つの横脚６２が存在し、ブラケット６０の構成部材として前辺６３まで延びている。横腕６７によってこの支持体６が特に例えば上着の袖展示用に適している。前辺６３を越えて、二つの突起６４、６５が突き出し、第一突起６４がブラケット６０の上端に、第二突起６５が下端の近くに配置されている。ブラケット６０の上辺は第一突起６４から突き出さずに、むしろこの上辺は前辺６３の前に位置して下方に向いていて、前辺６３から上昇する切口６４０が第一突起６４に延びている。同様に、前辺６３から上昇する切口６５０が第二突起６５に形成されている。ロッド部材６６の領域を越えて横腕６７の近くにまで、上辺には折り曲げられた接続要素６８が設けられ、この接続要素は棚板を載置するために利用できる。
［図５］
【００３５】
支持梁２は特に内部中空空間２０を備える四辺中空形材であり、この中空空間は両反対に位置する挟面２１、２２と二つの互いに平行な長面２３、２４により包囲されている。［図６］
【００３６】
横ロッド８０の構成の二次支持体８は好ましくは同様に四辺中空形材である。
［図７］
【００３７】
横枠８２の構成の二次支持体８は支持体５の貫通孔に対して接続要素５８として形成された枠接目板（図４Ｌ参照）を補充する横断面を有するので、横枠８２が横に挿入される。横枠８２は支持部材、例えばベルト或いは布のようなアクセサリーを吊り掛けるフックの形態の支持部材を受ける孔８２０の格子を有する。
［図８Ａと８Ｂ］
【００３８】
中空形材７は板要素４、特にそのようなガラスから成る板要素を減衰して受けるために設けられている。好ましくは、原則的には方形横断面を有する中空形材７は、ゴム或いは弾性合成樹脂から成る。まず最初に中間第二枝７２はその端部から直角に延びている第一枝７１と第三枝７３を備えてＵ−形状を与え、第三枝７３が第一枝７１より長い。第一枝７１の自由端の高さには、第三枝７３から第五枝７５が分岐し、第一枝７１の自由端へ延びている。第三枝７３の端は第四枝７４に移行し、その第四枝は第五枝７５とおよそ平行に延びている。両枝７４、７５の端部には、互いに向き合った隆起部７６が存在する。
［図９Ａと９Ｂ］
【００３９】
第一保持要素９２は垂直に立つ前板９２０を有し、その背面から二つの互いに平行なウエブ９２１が突き出す。ウエブ９２１の自由端の近くには、それぞれに一つの下方に開放するウエブスリット９２２が設けられていて、両ウエブスリット９２２が横に互いに同じ高さである。保持要素９２は好ましくは合成樹脂射出部材である。
［図１０Ａと１０Ｂ］
【００４０】
第二保持要素９３は二つの平行な並んで垂直に立つ弾性ハンガー９３１から成る。二つのハンガー９３１の両上端は前板９３０の背面に設置する。同様に、二つのハンガー９３１の両下端は別の前板９３０の背面に繋がっている。それぞれに上下に両ハンガー９３１にフック形材９３２が存在する。両前板９３０は弾性的に互いに押圧されるので、上下フック形材９３２の間の間隔が減少される。この保持要素９３も特に合成樹脂射出部材として製造される。
［図１１Ａ乃至１１Ｈ］
【００４１】
展示架台を形成する組立られた状態では、ここでは三つの縦支柱１が載置されていて、各縦支柱が支持梁２と連結されている。三列には、安定化して間隔維持する支持梁２の間に横桁３が配置されていて、支持梁２の第三と第四面２３、２４上の接続孔２３０に固定されている。縦支柱１の中空空間１８をカバーするために、その前面にはそれぞれ一個の蓋形材が係合されている。雌雄係止形材１２０、１９２が互いに係合されている。内脚１２内の溝１２１がその限定された横弾性を促進させる。縦支柱１と付属支持梁２との間の結合は、ボルト９９によって実現され、そのボルトは縦支柱１の基板１０の貫通孔１１と内ねじ１１０を通して支持梁２の第一側面２１の内ねじ２５に係合される。この場合には、中空空間１８内のボルトヘッドは基板１０に当接してその座部を有する。支持梁２の第二側面２２には壁支柱９１のスリーブ部材９１０が固定されている。スリーブ部材９１０内には移動部材９１６が案内され、長孔９１１内に位置されたボルト９１９により背面支持構造に対して水準化させるように調整される。支持構造には移動部材９１６と結合された板９１７が支持される。それぞれに内脚１２と外脚１６の間に位置する隙間１７はそれと同じ高さのスリット１５を備えてブラケット５０、６０或いは保持要素９２、９３を受けるように開放している。
【００４２】
各横脚１３と付属外脚１６に形成された隅には、板要素４の横辺４３が取り付けられ、例えば図示されていないボルトによって固定されており、そのボルトは第二孔１４によって板背面４１に係合する。例えば挿入された木製板要素４は板前面４０がおよそ外脚１６の前辺と結合して閉鎖されるような材料厚を有する（図１１Ｄ参照）。
【００４３】
蓋被覆９５なしの展示架台には、縦支柱１と支持梁２の上端がその基板１０と第一側面２１により互いに取り付けられ、互いに連結して閉鎖されている（図１１Ｅ参照）。蓋被覆部９５を据え付けるために、縦支柱１の上端には、基板１０と両内脚１２とが基板１０から横脚１３まで自由断面１０１を備えていて、例えばフライス盤により製造される（図１１Ｆ参照）。支持梁２は自由断面１０１にまで延びているので、第二側面２２には取り付けられた壁支柱９１が縦支柱１の残留する最上端に対して下方に移動されている（図１１Ｇ参照）。僅かな材料厚の板要素４、例えばガラス板を使用することが考慮されるならば、外部から各横脚１３へ中間形材７が挿入されており、挿入された板要素４が第一保持要素９２によって固定される。この場合には、両ウエブ９２１が二つの隙間１７に係合し、縦支柱１のそれぞれ一つのスリット１５を突き出し、横脚１３の壁がウエブスリット９２２に位置するようになる（図１１Ｈ参照）。
［図１２Ａ乃至１２Ｃ］
【００４４】
これら連続図は縦支柱１に板要素４を挿入固定することを説明し、この板要素４が外脚１６の深さに対して補充する少なくともほぼ材料厚を有する。縦支柱１に取り付けた二つの板要素４の横辺４３は完全に横脚１３とそれぞれの付属外脚１６により形成された角隅に位置するようになる。板前面から人は第二保持要素９３をそのハンガー９３１により圧縮された前板９３０の場合にはフック形材９３２が覆われたスリット１５の上下辺１５０、１５１に下から係合するまで二つの隙間１７に差し込む。静止状態には、ハンガー９３１が幅広げて、前板９３０を互いに広げるので、フック形材９３２がつめを立てられ、板要素４が縦支柱１の前面幅から越えて突き出す前板９３０を適当な位置に保持されている。横脚１３とねじ止めされた支持梁２の間にスリット１５を突き出すハンガー９３１用の十分な自由空間を残している。
［図１３Ａと１３Ｂ］
【００４５】
これら対図は外脚１６の深さを満たしていない材料厚をもつ板要素４の挿入の際の中間形材７の使用を説明し、これが特にガラス板の場合に該当する。縦支柱１に取り付けた板要素４はその横辺４３によりそれぞれの外脚１６に衝突し、板前面４０が外脚１６の前辺と結合して閉鎖する。けれども、板背面４１と横脚１３の間に著しい隙間が残り、中間形材７により充填されている。同時に弾性中間形材７が減衰された載置を保証するので、板背面４１が金属横脚１３に当接しない。挿入された状態には、第二枝７２が横辺４３の領域に板背面４１に位置するようになり、第一枝７１が外脚１６の外側に平行に横脚１３にまで延びていて、第三枝７３が外側に横脚１３の後にまで延びている。更に、枝７４、７５は横脚１３の自由端を包含し、隆起部７６が横脚１３に締め付け状態に係合する。縦支柱１の両隙間１７に吊り掛けた第一保持要素９２がその前板９２０により横辺４３の領域に板前面４０に係合する。  
［図１４Ａ乃至１４Ｅ］
【００４６】
これら連続図によると、縦支柱１の第一型態の支持体５の吊り掛けの第一相が図示されている。支持体５により、ブラケット５０が傾斜して両隙間１７に計画された高さに接近される。この場合には、第一突起５４が隙間１７の上で近くに存在し、その間に第二突起５５が隙間１７の下から更に取り外される。両横脚５２における前辺５３が垂線に対して傾斜して設置されている。四つの突起５４、５５の全体が両隙間１７に緊張された平面に立っている。第一突起５４が設定されたスリット１５に配向されているので、第二突起５５がその下に位置するスリット１５に向けられている。ロッド部材５６の存在と構成に応じて、これは接近の際に等しい傾斜状態をとる。利用者は支持体５をほとんど傾斜して平衡を保つ。それにより吊り掛けの第二相への流入が準備されている。
［図１５Ａ乃至１５Ｅ］
【００４７】
吊り掛けの第二相では、人は更に斜めに整合された支持体５により両第一突起５４を縦支柱１の両隣接したスリット１５の狙った対に係合させる。垂直状態でスリット高さａより大きい第一突起高さｒの傾斜状態によって、第一突起５４が傾斜して隙間１７を通してスリット１５に挿入される。第二突起５５が次の対のスリット１５の流入直前に立ち、両横脚５２が上で既にほぼ完全に隙間１７に移行し、その間に下で隙間１７への横脚５２の流入が吊り掛けの第三相の開始で初めて連続的に行われる。装置の原理的機能のために、縦支柱１への中間形材７の取付けは必要ないけれども、それにより光学的に好ましくは中空空間１８が覆いを取り除かれ、ブラケット５０の吊り掛けの際に案内が改良され、ブラケット５０の基板５１の端状態では、閉鎖された載置面が禁止されている。
［図１６Ａ乃至１６Ｅ］
【００４８】
吊り掛けの第三相では、縦支柱１に装入されるブラケット５０を備える支持体５は規定とおりの使用状態を達成される。第二突起５５を付属対のスリット１５に差し込み方向転向させることによって両横脚５２が原則的に完全に隙間１７に挿入移動して、ブラケット５０の基板５１が垂直に蓋形材１９の基板１９０の外面の傍に立つ。突起５４の直立状態によって第一突起高さｒが垂直線に得られるので、突起５４の最上領域が後辺５４１を備えて横脚１３の上対のスリット１５を越えて存在する壁の後部に位置するようになる。
【００４９】
完全に差し込み方向転向された状態では、下対のスリット１５のスリット下辺１５１が第二突起５５の下部の切口５５０に装入されるけれども、更に第一突起５４が上対のスリット１５に係合する。前辺５３は両横脚１３のスリット１５間の留まる壁の傍に位置するようになる。横脚１３の後方の自由空間は押し込まれた突起５４、５５に場所を提供する。規則どおりに吊り掛けられた支持体５によりそのロッド部材５６が、例えば衣服を吊り掛ける企図された位置を取った。支持体５の荷重の増加により第一突起５４の後辺５４１と横脚１３の後辺に立ち上がる壁との間、並びに第二突起５５の切口５５０と切口に装入される壁との間への押込みが上昇する。
【００５０】
支持体５の取外しが逆戻り的に生じ、持上げにより開始して、第二突起５５の切口５５０を横脚１３の壁から取り外す。この後に人は支持体５を第二相による傾斜状態にして、それにより第一突起５４が結局は完全に上対のスリット１５に係合する状態から開始し、第二突起５５が既に下対のスリット１５から外へ移動される。この位置から、支持体５が完全に縦支柱１から取り外される。
［図１７Ａ乃至１７Ｄ］
【００５１】
第一型態の支持体５は、二つのそのような支持体５を互いに並んで縦支柱１に吊り掛けることを企図されていない、というのは、それぞれに二対の第一と第二突起５４、５５が二つの付属横脚５２により両隙間１７を占めて、当該スリット１５が原則的に全幅を占める。
【００５２】
一水平列に展示架台をいわば中断なしに装備するために、第二型態の支持体６は所謂既製枠の構成に存在する。そのような支持体６のブラケット６０は一個のみの横脚６を有し、その横脚が吊り掛けられた状態では縦支柱１の隙間１７の一方のみ並びに両突起５４、５５によりこの隙間１７の列に存在する二つのスリット１５を占める。それ故に、二つの異なった、直接に隣接して位置された二つの支持体６のブラケット６０を正確に縦支柱１の両隙間１７の同じ高さに吊り掛けることが可能である。ロッド部材６６は面材料から形成されるので、直接に並んでかかる支持体６が阻止されずに、むしろ原則的に中断されていない列の画像が与えられる。吊り掛けられた状態ではこの支持体６は二つの縦支柱１への吊り掛けと両占めた隙間１７を形成するそれぞれの内外脚１２、１６間の両ブラケット６０の案内を備えるフレーム状構成により横安定性を得る。
【００５３】
ブラケット６０の突起６４、６５は縦支柱１のスリット高さａより大きくない高さを有する。吊り掛けの際に、突起６４、６５を備える両ブラケット６０が水平整合にて二つの縦支柱１の占めるべき隙間１７に挿入される。この場合には、全体で四つの突起６４、６５が狙った二対のそれぞれに上下に位置するスリット１５に差し込まれる。支持体６の降下が行われるので、すべての下方に向く突起６４、６５が両縦支柱１の横脚１３の壁の後に到達し、この場合に壁の上辺が切口６４０、６５０に装入する。吊り掛けられた状態ではそれぞれの上突起５４が荷重され、その間にブラケット６０の前辺５３の下突起６５の下方に存在する割合が当接する壁に対して押圧する。支持体６の取外しの過程が適切に逆戻り的に生じる。
【００５４】
商品展示するために今まで記載された装置の次の変態可能性も表現的に言及される：
・外脚１６が支持体５、６のブラケット５０、６０の吊り掛けに条件付けされず、むしろ隅形成するように且つ取り付けた板要素４用の横ストッパとして用いられる。
【００５５】
・支持体５のブラケット５０が上方に向いた両突起５４といわば水平のみに延びる両突起５５の代わりに、全体で四個の下方に向いた突起６４、６５を有し、それら突起が図４Ｍ乃至４Ｏによる支持体６に対して示されている。
【００５６】
・支持体６のブラケット６０が下方に向いた両突起６４、６５の代わりに、上方に向いた上第一突起５４といわば水平のみに延びる下第二突起５５とを有し、それら突起は図４Ｃによるブラケット５０の横脚５２の一方に形成されている。
【００５７】
・図５による四辺中空形材の支持梁２は選択的にＣ−形材或いはＴ−形材として形成され得る。
【００５８】
・図１１Ｃに図示されるように、縦支柱１の中空空間１８の側から取り付けたボルト９９によって縦支柱１の基板１０と支持梁２の第一側面２１の間の結合は選択的に支持梁２の側からのねじ締めによって行われ得る。この場合には、横開口支持梁２、特にＣ−形材としての使用が好ましかった。
【００５９】
・縦支柱１とそれに吊り掛けできる支持体５、６は、原理として例えば図１Ａに示されるように、静止壁架台を構成するために、同様に建物側支持構造体３に組み立てるか、或いは可動架台を設立するために適している。そのような可動架台は例えば販売面の中間空間に設置され得て、両側に縦支柱１を備えていて、その縦支柱にはそれぞれの板要素４が取り付けられるので、展示架台には、いわば二つの板前面４０が生じ、板前面から吊り掛けた支持体５、６が空間に延びている。この場合には、基板１０が互いに向き合うそれぞれに二つの縦支柱１の間に、同時に縦支柱１が固定されている支持梁２を中心に配置することが好ましい。けれども、場合によっては人は支持梁２を放棄でき、縦支柱１がその基板面１０と互いに連結されている。支持構造体は架台の通常に安定性を奏する構成部材により、特に下構造により形成される。
【図面の簡単な説明】
【００６０】
【図１Ａ】装備されていない複数の縦支柱、支持梁と板要素から成る静止展示架台を下から見た斜視前面図で示す。
【図１Ｂ】装備された異なった支持体を備える図１Ａによる展示架台を上から見た斜視前面図で示す。
【図１Ｃ】図１Ｂによる構成を下から見た斜視前面図で示す。
【図１Ｄ】図１Ｂによる構成を側面図で示す。
【図１Ｅ】図１Ｂによる構成を上から見た斜視後面図で示す。
【図２Ａ】縦支柱を上から見た斜視前面図で示す。
【図２Ｂ】図２Ａによる縦支柱を斜視後面図で示す。
【図２Ｃ】図２Ｂから拡大された断面を線ＡーＡで示す。
【図２Ｄ】図２Ｂから拡大された断面を線ＢーＢで示す。
【図３Ａ】蓋形材を斜視前面図で示す。
【図３Ｂ】図３Ａによる蓋形材を水平横断面で示す。
【図４Ａ】直線ロッド部材を備える第一型態の支持体を斜視前面図で示す。
【図４Ｂ】図４Ａによる支持体を斜視後面図で示す。
【図４Ｃ】図４Ｂから拡大された細部Ｘ１を示す。
【図４Ｄ】図４Ｂからブラケットを側面図で示す。
【図４Ｅ】棚板を受ける直線ロッド部材とその上に配置された接続要素を備える第一型態の支持体を斜視前面図で示す。
【図４Ｆ】横ロッドを受ける直線ロッド部材とその上に配置された接続要素を備える第一型態の支持体を斜視前面図で示す。
【図４Ｇ】棚板を受ける直線ロッド部材とその上に配置された接続要素並びに横ロッドを受ける先頭に存在する接続要素を備える第一型態の支持体を斜視前面図で示す。
【図４Ｈ】棚板を受ける直線ロッド部材とその自由端に配置された横腕を備える第一型態の支持体を斜視前面図で示す。
【図４Ｊ】直線ロッド部材とブラケットの近くに配置された横腕を備えて並びに棚板を受ける接続要素を備える第一型態の支持体を斜視前面図で示す。
【図４Ｋ】連結板の構成にブラケットと接続要素を備える第一型態の支持体を斜視後面図で示す。
【図４Ｌ】枠接目板の構成にブラケットと接続要素を備える第一型態の支持体を斜視側面図で示す。
【図４Ｍ】吊り掛けフレームの構成に第二型態の支持体を斜視前面図で示す。
【図４Ｎ】図４Ｍによる構成を斜視後面図で示す。
【図４Ｏ】図４Ｍから拡大された細部Ｘ２を示す。
【図５】図４Ｅから支持梁を斜視平面図で示す。
【図６】図１Ｂから横ロッドを斜視前面図で示す。
【図７】図４Ｌによる第一型態の支持体のロッド収容部に挿入する横枠を斜視前面図で示す。
【図８Ａ】中間形材を斜視図で示す。
【図８Ｂ】図８Ａによる中間形材を拡大された水平横断面で示す。
【図９Ａ】第一保持要素を斜視前面図で示す。
【図９Ｂ】図９Ａによる保持要素を斜視後面図で示す。
【図１０Ａ】第二保持要素を斜視前面図で示す。
【図１０Ｂ】図１０Ａによる第二保持要素を斜視後面図で示す。
【図１１Ａ】被覆されず且つ装備されずに、図１Ｅから展示架台を上から見た斜視後面図で示す。
【図１１Ｂ】横腕部材、第四保持要素と第三保持要素により補充して、図１１Ａによる構成を上から見た斜視後面図で示す。
【図１１Ｃ】蓋形材、縦支柱、支持梁と壁支柱から成る構成を拡大された水平横断面で示す。
【図１１Ｄ】蓋形材、縦支柱、取り付けた板要素を備える支持梁から成る構成を拡大された水平横断面で示す。
【図１１Ｅ】縦支柱と支持梁から成る組合せを斜視平面図で示す。
【図１１Ｆ】縦支柱における上自由断面の領域を斜視拡大図で示す。
【図１１Ｇ】取り付けた支持梁と壁支柱を備える縦支柱における上自由断面の領域の構成を斜視後面図で示す。
【図１１Ｈ】図１１Ａからの拡大された細部Ｘ３を示す。
【図１２Ａ】図１０Ａによる第二保持要素により縦支柱に板要素を固定する態様を斜視前面図で示す。
【図１２Ｂ】図１２Ａによる構成を斜視後面図で示す。
【図１２Ｃ】図１２Ａによる構成を水平横断面で示す。
【図１３Ａ】図９Ａによる挿入された第一保持要素を備えて、図１１Ａによる構成を上から見た斜視前面図で示す。
【図１３Ｂ】取り付けた板要素を備えて、蓋形材、縦支柱、支持梁と中間形材から成る構成を水平横断面で示す。［図１４Ａ乃至１６Ｄ］  蓋形材、縦支柱、取り付けた板要素を備える支持梁から成る構成において図４Ａによる第一型態の支持体の吊り掛けの経過を示す。
【図１４Ａ】縦支柱の隙間に支持体のブラケットを接近させる態様を斜視前面図で示す。
【図１４Ｂ】図１４Ａによる状況を水平横断面で示す。
【図１４Ｃ】図１４Ａによる状況を側面図で示す。
【図１４Ｄ】図１４Ｂからの拡大された細部Ｘ４を示す。
【図１４Ｅ】図１４Ｃからの拡大された細部Ｘ５を示す。
【図１５Ａ】支持体のブラケットを部分的に縦支柱の隙間に吊り掛けた態様を斜視前面図で示す。
【図１５Ｂ】図１５Ａによる状況を水平横断面で示す。
【図１５Ｃ】図１５Ａによる状況を側面図で示す。
【図１５Ｄ】図１５Ｂからの拡大された細部Ｘ６を示す。
【図１５Ｅ】図１５Ｃからの拡大された細部Ｘ７を示す。
【図１６Ａ】支持体のブラケットを縦支柱の隙間に完全に吊り掛けた態様を斜視前面図で示す。
【図１６Ｂ】図１６Ａによる状況を、蓋形材と板要素なしに水平横断面で示す。
【図１６Ｃ】図１６Ｂによる状況を縦部分図で示す。
【図１６Ｄ】図１６Ｃからの拡大された細部Ｘ８を示す。［図１７Ａ乃至１７Ｄ］  図１Ａによる展示架台に図４Ｍによる第二型態の支持体を吊り掛けた態様を示す。
【図１７Ａ】縦支柱に同じ高さで互いに並んで吊り掛けた二つの支持体を備える図１Ａによる展示架台を斜視前面図で示す。
【図１７Ｂ】図１７Ａによる構成を前面図で示す。
【図１７Ｃ】図１７Ａからの拡大された細部Ｘ９を示す。
【図１７Ｄ】図１７Ｂからの拡大された細部Ｘ１０を示す。
【符号の説明】
【００６１】
１．．．．．縦支柱
２．．．．．支持梁
３．．．．．横桁
４．．．．．板要素
５、６．．．支持体
１０．．．．基板
１２．．．．内脚
１３．．．．横脚
１５．．．．スリット
１６．．．．外脚
１７．．．．隙間
５０，６０．．．ブラケット
５４，５５，６４，６５．．．突起
５６．．．．ロッド部材
８０、８１、８２．．．．二次支持体
【図１Ａ】
2010500891.tif 000003
【図１Ｂ】
2010500891.tif 000004
【図１Ｃ】
2010500891.tif 000005
【図１Ｄ】
2010500891.tif 000006
【図１Ｅ】
2010500891.tif 000007
【図２Ａ】
2010500891.tif 000008
【図２Ｂ】
2010500891.tif 000009
【図２Ｃ】
2010500891.tif 000010
【図２Ｄ】
2010500891.tif 000011
【図３Ａ】
2010500891.tif 000012
【図３Ｂ】
2010500891.tif 000013
【図４Ａ】
2010500891.tif 000014
【図４Ｂ】
2010500891.tif 000015
【図４Ｃ】
2010500891.tif 000016
【図４Ｄ】
2010500891.tif 000017
【図４Ｅ】
2010500891.tif 000018
【図４Ｆ】
2010500891.tif 000019
【図４Ｇ】
2010500891.tif 000020
【図４Ｈ】
2010500891.tif 000021
【図４Ｊ】
2010500891.tif 000022
【図４Ｋ】
2010500891.tif 000023
【図４Ｌ】
2010500891.tif 000024
【図４Ｍ】
2010500891.tif 000025
【図４Ｎ】
2010500891.tif 000026
【図４Ｏ】
2010500891.tif 000027
【図５】
2010500891.tif 000028
【図６】
2010500891.tif 000029
【図７】
2010500891.tif 000030
【図８Ａ】
2010500891.tif 000031
【図８Ｂ】
2010500891.tif 000032
【図９Ａ】
2010500891.tif 000033
【図９Ｂ】
2010500891.tif 000034
【図１０Ａ】
2010500891.tif 000035
【図１０Ｂ】
2010500891.tif 000036
【図１１Ａ】
2010500891.tif 000037
【図１１Ｂ】
2010500891.tif 000038
【図１１Ｃ】
2010500891.tif 000039
【図１１Ｄ】
2010500891.tif 000040
【図１１Ｅ】
2010500891.tif 000041
【図１１Ｆ】
2010500891.tif 000042
【図１１Ｇ】
2010500891.tif 000043
【図１１Ｈ】
2010500891.tif 000044
【図１２Ａ】
2010500891.tif 000045
【図１２Ｂ】
2010500891.tif 000046
【図１２Ｃ】
2010500891.tif 000047
【図１３Ａ】
2010500891.tif 000048
【図１３Ｂ】
2010500891.tif 000049
【図１４Ａ】
2010500891.tif 000050
【図１４Ｂ】
2010500891.tif 000051
【図１４Ｃ】
2010500891.tif 000052
【図１４Ｄ】
2010500891.tif 000053
【図１４Ｅ】
2010500891.tif 000054
【図１５Ａ】
2010500891.tif 000055
【図１５Ｂ】
2010500891.tif 000056
【図１５Ｃ】
2010500891.tif 000057
【図１５Ｄ】
2010500891.tif 000058
【図１５Ｅ】
2010500891.tif 000059
【図１６Ａ】
2010500891.tif 000060
【図１６Ｂ】
2010500891.tif 000061
【図１６Ｃ】
2010500891.tif 000062
【図１６Ｄ】
2010500891.tif 000063
【図１７Ａ】
2010500891.tif 000064
【図１７Ｂ】
2010500891.tif 000065
【図１７Ｃ】
2010500891.tif 000066
【図１７Ｄ】
2010500891.tif 000067
【国際調査報告】
2010500891.tif 000068
2010500891.tif 000069
2010500891.tif 000070
2010500891.tif 000071
2010500891.tif 000072
2010500891.tif 000073